【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
モバイルディスプレイデジタルインタフェース（ＭＤＤＩ）通信システムにおいて、逆方向データリンクカプセル化パケットのための安全マージンを提供する方法であって、
往復遅延測定パケットを用いて、ホストとクライアントとの間の往復遅延を計算することと、
ホストドライバがイネーブルするための予め定めた第１の時間期間を与えることと、
クライアントドライバがディセーブルするための予め定めた第２の時間期間を与えることと、
前記計算された往復遅延と、前記予め定めた第１の時間期間と、前記予め定めた第２の時間期間との合計よりも大きい方向転換２フィールド長を、前記逆方向データリンクカプセル化パケットに導入することと
からなる各ステップを備える方法。
【請求項２】
モバイルディスプレイデジタルインタフェース（ＭＤＤＩ）通信システムにおいて、逆方向データリンクカプセル化パケットのための安全マージンを提供するシステムであって、
往復遅延測定パケットを用いて、ホストとクライアントとの間の往復遅延を計算する手段と、
ホストドライバがイネーブルするための予め定めた第１の時間期間を与える手段と、
クライアントドライバがディセーブルするための予め定めた第２の時間期間を与える手段と、
前記計算された往復遅延と、前記予め定めた第１の時間期間と、前記予め定めた第２の時間期間との合計よりも大きい方向転換２フィールド長を、前記逆方向データリンクカプセル化パケットに導入する手段と
を備えるシステム。
【請求項３】
コンピュータ読取可能媒体を備えたコンピュータプログラム製品であって、
前記コンピュータ読取可能媒体は、モバイルディスプレイデジタルインタフェース（ＭＤＤＩ）通信システムにおいて、逆方向データリンクカプセル化パケットのための安全マージンが維持されるようにするコードを備え、このコードは、
往復遅延測定パケットを用いて、ホストとクライアントとの間の往復遅延が計算されるようにするコードと、
ホストドライバがイネーブルするための予め定めた第１の時間期間が与えられるようにするコードと、
クライアントドライバがディセーブルするための予め定めた第２の時間期間が与えられるようにするコードと、
前記計算された往復遅延と、前記予め定めた第１の時間期間と、前記予め定めた第２の時間期間との合計よりも大きい方向転換２フィールド長が、前記逆方向データリンクカプセル化パケットに導入されるようにするコードと
を備えるコンピュータプログラム製品。
【請求項４】
モバイルディスプレイデジタルインタフェース（ＭＤＤＩ）通信システムにおいて、逆方向リンクカプセル化パケットの送信中に、全てのデータ信号が運ばれていることを保証する方法であって、
前記逆方向リンクカプセル化パケットの方向転換１期間の最後のビットの前に、ホストのデータラインドライバをディセーブルすることと、
前記逆方向リンクカプセル化パケットの方向転換１期間の始まりにおいて、前記クライアントのラインドライバをイネーブルすることと
からなる各ステップを備える方法。
【請求項５】
前記逆方向リンクカプセル化パケットの全ゼロ１フィールドの始まりから、全ゼロ２フィールドの終わりまで、各ビット境界において、ストローブをトグルするステップを更に備える請求項４に記載の方法。
【請求項６】
前記方向転換１期間は、前記ホストのラインドライバがディセーブルし、前記クライアントのラインドライバが、実質的に同時にイネーブルするための時間期間を含む請求項４に記載の方法。
【請求項７】
前記方向転換１期間は、計算された往復遅延と、ホストドライバディセーブル時間と、クライアントドライバイネーブル時間との合計よりも大きい時間期間を含む請求項４に記載の方法。
【請求項８】
モバイルディスプレイデジタルインタフェース（ＭＤＤＩ）通信システムにおいて、逆方向リンクカプセル化パケットの送信中に、全てのデータ信号が運ばれていることを保証するシステムであって、
前記逆方向リンクカプセル化パケットの方向転換１期間の最後のビットの前に、ホストのデータラインドライバをディセーブルする手段と、
前記逆方向リンクカプセル化パケットの方向転換１期間の始まりにおいて、前記クライアントのラインドライバをイネーブルする手段と
を備えるシステム。
【請求項９】
前記逆方向リンクカプセル化パケットの全ゼロ１フィールドの始まりから、全ゼロ２フィールドの終わりまで、 各ビット境界において、ストローブをトグルする手段を更に備える請求項８に記載のシステム。
【請求項１０】
前記方向転換１期間は、前記ホストのラインドライバがディセーブルし、前記クライアントのラインドライバが、実質的に同時にイネーブルするための時間期間を含む請求項８に記載のシステム。
【請求項１１】
前記方向転換１期間は、計算された往復遅延と、ホストドライバディセーブル時間と、クライアントドライバイネーブル時間との合計よりも大きい時間期間を含む請求項８に記載のシステム。
【請求項１２】
前記方向転換１期間は、計算された往復遅延と、ホストドライバディセーブル時間と、クライアントドライバイネーブル時間との合計から、前記方向転換１期間の持続時間を引いたものよりも大きい時間期間を含む請求項８に記載のシステム。
【請求項１３】
コンピュータプログラム製品であって、
モバイルディスプレイデジタルインタフェース（ＭＤＤＩ）通信システムにおいて、逆方向リンクカプセル化パケットの送信中に、全てのデータ信号が運ばれていることを保証するコードを備えるコンピュータ読取可能媒体を備え、前記コードは、
前記逆方向リンクカプセル化パケットの方向転換１期間の最後のビットの前に、ホストのデータラインドライバがディセーブルされるようにするコードと、
前記逆方向リンクカプセル化パケットの方向転換１期間の始まりにおいて、前記クライアントのラインドライバがイネーブルされるようにするコードと
を備えるコンピュータプログラム製品。
【請求項１４】
前記逆方向リンクカプセル化パケットの全ゼロ１フィールドの始まりから、全ゼロ２フィールドの終わりまで、各ビット境界において、ストローブがトグルされるようにするコードを更に備える請求項１３に記載のコンピュータプログラム製品。
【請求項１５】
前記方向転換１期間は、 前記ホストのラインドライバがディセーブルし、前記クライアントのラインドライバが、実質的に同時にイネーブルするための時間期間を含む請求項１３に記載のコンピュータプログラム製品。
【請求項１６】
前記方向転換１期間は、計算された往復遅延と、ホストドライバディセーブル時間と、クライアントドライバイネーブル時間との合計よりも大きい時間期間を含む請求項１３に記載のコンピュータプログラム製品。
【請求項１７】
モバイルディスプレイデジタルインタフェース（ＭＤＤＩ）通信システムにおいて、逆方向リンクカプセル化パケットの送信中に、全てのデータ信号が運ばれていることを保証する方法であって、前記方法は、
前記逆方向リンクカプセル化パケットの方向転換２期間の最後のビットの前に、クライアントのデータラインドライバをディセーブルすることと、
前記逆方向リンクカプセル化パケットの方向転換２期間の終わりの前に、ホストのラインドライバをイネーブルすることと
からなる各ステップを備える方法。
【請求項１８】
前記逆方向リンクカプセル化パケットの全ゼロ１フィールドの始まりから、全ゼロ２フィールドの終わりまで、各ビット境界において、ストローブがトグルされる請求項１７に記載の方法。
【請求項１９】
前記方向転換２期間の始まり後に測定された往復遅延に等しい時間期間後に前記ホストのラインドライバがイネーブルされる請求項１７に記載の方法。
【請求項２０】
モバイルディスプレイデジタルインタフェース（ＭＤＤＩ）通信システムにおいて、逆方向リンクカプセル化パケットの送信中に、全てのデータ信号が運ばれていることを保証するシステムであって、
前記逆方向リンクカプセル化パケットの方向転換２期間の最後のビットの前に、クライアントのデータラインドライバをディセーブルすることと、
前記逆方向リンクカプセル化パケットの方向転換２期間の終わりの前において、ホストのラインドライバをイネーブルすることと
を備えるシステム。
【請求項２１】
前記逆方向リンクカプセル化パケットの全ゼロ１フィールドの始まりから、全ゼロ２フィールドの終わりまで、各ビット境界において、ストローブがトグルされる請求項２０に記載のシステム。
【請求項２２】
前記方向転換２期間の始まり後に測定された往復遅延に等しい時間期間後に前記ホストのラインドライバがイネーブルされる請求項２０に記載のシステム。
【請求項２３】
コンピュータプログラム製品であって、
モバイルディスプレイデジタルインタフェース（ＭＤＤＩ）通信システムにおいて、逆方向リンクカプセル化パケットの送信中に、全てのデータ信号が運ばれるようにするコードを備えたコンピュータ読取可能媒体を備え、前記コードは、
前記逆方向リンクカプセル化パケットの方向転換２期間の最後のビットの前に、クライアントのデータラインドライバがディセーブルされるようにするコードと、
前記逆方向リンクカプセル化パケットの方向転換２期間の終わりの前において、ホストのラインドライバがイネーブルされるようにするコードと
を備えるコンピュータプログラム製品。
【請求項２４】
前記逆方向リンクカプセル化パケットの全ゼロ１フィールドの始まりから、全ゼロ２フィールドの終わりまで、各ビット境界において、ストローブがトグルされる請求項２３に記載のコンピュータプログラム製品。
【請求項２５】
前記方向転換２期間の始まり後に測定された往復遅延に等しい時間期間後に前記ホストのラインドライバがイネーブルされる請求項２３に記載のコンピュータプログラム製品。
【請求項２６】
モバイルディスプレイデジタルインタフェース（ＭＤＤＩ）通信システムにおいて、クライアントデバイス内の信頼できるクロック回復を保証する方法であって、
前記クライアントデバイス内でデータイネーブル信号をアサートすることと、
ストローブ信号とデータ信号とを用いて、前記クライアントデバイス内に、回復されたクロックを生成することと、
ホストによって送られた全ゼロ１フィールドを受け取ることと、
前記クライアントデバイス内でデータイネーブル信号を逆アサートすることと、
前記ストローブ信号のみから、前記クロックデバイス内に、前記回復されたクロックを生成することと
からなる各ステップを備える方法。
【請求項２７】
前記ホストによって方向転換１フィールドを送るステップを更に備える請求項２６に記載の方法。
【請求項２８】
モバイルディスプレイデジタルインタフェース（ＭＤＤＩ）通信システムにおいて、クライアントデバイス内の信頼できるクロック回復を保証するシステムであって、
前記クライアントデバイス内でデータイネーブル信号をアサートする手段と、
ストローブ信号とデータ信号とを用いて、前記クライアントデバイス内に、回復されたクロックを生成する手段と、
ホストによって送られた全ゼロ１フィールドを受け取る手段と、
前記クライアントデバイス内でデータイネーブル信号を逆アサートする手段と、
前記ストローブ信号のみから、前記クロックデバイス内に、前記回復されたクロックを生成する手段と
を備えるシステム。
【請求項２９】
前記ホストによって方向転換１フィールドを送る手段を更に備える請求項２８に記載のシステム。
【請求項３０】
コンピュータプログラム製品であって、
モバイルディスプレイデジタルインタフェース（ＭＤＤＩ）通信システムにおいて、クライアントデバイス内の信頼できるクロック回復を保証するコードを備えるコンピュータ読取可能媒体を備え、前記コードは、
前記クライアントデバイス内でデータイネーブル信号がアサートされるようにするコードと、
ストローブ信号とデータ信号とを用いて、前記クライアントデバイス内に、回復されたクロックが生成されるようにするコードと、
全ゼロ１フィールドがホストによって送られ、前記クライアントによって受け取られるようにするコードと、
前記クライアントデバイス内でデータイネーブル信号が逆アサートされるようにするコードと、
前記ストローブ信号のみから、前記クロックデバイス内に、前記回復されたクロックが生成されるようにするコードと
を備えるコンピュータプログラム製品。
【請求項３１】
前記ホストによって方向転換１フィールドが送られるようにすることを更に備える請求項３０に記載のコンピュータプログラム製品。
【請求項３２】
モバイルディスプレイデジタルインタフェース（ＭＤＤＩ）通信システムにおいて、クライアントデバイス内の信頼できるクロック回復を保証する方法であって、
ストローブ信号のみから、前記クライアントデバイス内に、回復されたクロックを生成することと、
ホストによって方向転換２フィールドを送ることと、
前記ホストによって送られた全ゼロ２フィールドを受け取ることと、
前記クライアントデバイス内でデータイネーブル信号をアサートすることと、
前記ストローブ信号と前記データ信号とに基づいて、前記クライアントデバイス内に、前記回復されたクロックを生成することと
からなる各ステップを備える方法。
【請求項３３】
モバイルディスプレイデジタルインタフェース（ＭＤＤＩ）通信システムにおいて、クライアントデバイス内の信頼できるクロック回復を保証するシステムであって、
ストローブ信号のみから、前記クライアントデバイス内に、回復されたクロックを生成する手段と、
ホストによって方向転換２フィールドを送る手段と、
前記ホストによって送られた全ゼロ２フィールドを受け取る手段と、
前記クライアントデバイス内でデータイネーブル信号をアサートする手段と、
前記ストローブ信号と前記データ信号とに基づいて、前記クライアントデバイス内に、前記回復されたクロックを生成する手段と
を備えるシステム。
【請求項３４】
コンピュータプログラム製品であって、
モバイルディスプレイデジタルインタフェース（ＭＤＤＩ）通信システムにおいて、クライアントデバイス内の信頼できるクロック回復を保証するコードを備えたコンピュータ読取可能媒体を備え、前記コードは、
ストローブ信号のみから、前記クライアントデバイス内に、回復されたクロックが生成されるようにするコードと、
ホストによって方向転換２フィールドが送られるようにするコードと、
全ゼロ２フィールドが前記ホストによって送られ、前記クライアントによって受け取られるようにするコードと、
前記クライアントデバイス内でデータイネーブル信号がアサートされるようにするコードと、
前記ストローブ信号と前記データ信号とに基づいて、前記クライアントデバイス内に、前記回復されたクロックが生成されるようにするコードと
を備えるコンピュータプログラム製品。
【請求項３５】
モバイルディスプレイデジタルインタフェース（ＭＤＤＩ）通信システムにおいて、リンク同期を検証する方法であって、
ホストからクライアントへ往復遅延測定パケットを送ることと、
前記クライアントから、前記送られた往復遅延測定パケットへの予め定めた応答を探索することと
からなる各ステップを備える方法。
【請求項３６】
前記予め定めた応答は、正確な応答を含む請求項３５に記載の方法。
【請求項３７】
ハイバーネーションプロセスを用いて行われるステップを更に備える請求項３６に記載の方法。
【請求項３８】
前記探索するステップは、前記クライアントが、前記往復遅延測定パケットに対して不正確に応答したかを判定することを含む請求項３５に記載の方法。
【請求項３９】
再同期プロセスを開始するステップを更に備える請求項３８に記載の方法。
【請求項４０】
前記往復遅延測定パケットを再び送るステップを更に備える請求項３８に記載の方法。
【請求項４１】
前記ホストが、逆方向データレートを低減するステップを更に備える請求項４０に記載の方法。
【請求項４２】
前記不正確な応答は、無応答を含む請求項３８に記載の方法。
【請求項４３】
モバイルディスプレイデジタルインタフェース（ＭＤＤＩ）通信システムにおいて、リンク同期を検証するシステムであって、
ホストからクライアントへ往復遅延測定パケットを送る手段と、
前記クライアントから、前記送られた往復遅延測定パケットへの予め定めた応答を探索する手段と
を備えるシステム。
【請求項４４】
前記予め定めた応答は、正確な応答を含む請求項４３に記載のシステム。
【請求項４５】
ハイバーネーションプロセスを用いて行われる手段を更に備える請求項４４に記載のシステム。
【請求項４６】
前記探索する手段は、前記クライアントが、前記往復遅延測定パケットに対して不正確に応答したかを判定する手段を含む請求項４３に記載のシステム。
【請求項４７】
再同期プロセスを開始する手段を更に備える請求項４６に記載のシステム。
【請求項４８】
前記往復遅延測定パケットを再び送る手段を更に備える請求項４６に記載のシステム。
【請求項４９】
逆方向データレートを低減する手段を更に備える請求項４８に記載のシステム。
【請求項５０】
前記不正確な応答は、無応答を含む請求項４６に記載のシステム。
【請求項５１】
コンピュータプログラム製品であって、
モバイルディスプレイデジタルインタフェース（ＭＤＤＩ）通信システムにおいて、リンク同期の検証をさせるコードを備えたコンピュータ読取可能媒体を備え、前記コードは、
ホストからクライアントへ往復遅延測定パケットが送られるようにするコードと、
前記クライアントから、前記送られた往復遅延測定パケットへの予め定めた応答が探索されるようにするコードと
を備えるコンピュータプログラム製品。
【請求項５２】
前記予め定めた応答は、正確な応答を含む請求項５１に記載のコンピュータプログラム製品。
【請求項５３】
ハイバーネーションプロセスが行われるようにするコードを更に備える請求項５２に記載のコンピュータプログラム製品。
【請求項５４】
前記予め定めた応答が探索されるようにするコードは、前記クライアントが、前記往復遅延測定パケットに対して不正確に応答したかを判定させるコードを備える請求項５１に記載のコンピュータプログラム製品。
【請求項５５】
再同期プロセスを開始させるコードを更に備える請求項５４に記載のコンピュータプログラム製品。
【請求項５６】
前記往復遅延測定パケットが再び送られるようにするコードを更に備える請求項５４に記載のコンピュータプログラム製品。
【請求項５７】
逆方向データレートを前記ホストによって低減させるコードを更に備える請求項５６に記載のコンピュータプログラム製品。
【請求項５８】
前記不正確な応答は、無応答を含む請求項５４に記載のコンピュータプログラム製品。